(57)【要約】【課題】バックアップされていたデータを短時間でコンピュータ等の電子装置へリストアすることが可能なバックアップシステムを提供する。【解決手段】電子装置と中継装置とはローカルネットワークを介して接続される。また、中継装置とバックアップ装置とは広域ネットワークを介して接続される。電子装置から自装置内の記憶装置に記憶されているデータを中継装置へ送信すると、中継装置ではこのデータを、ローカルネットワークを介して受信して保持することでデータのバックアップが行われる。さらに、中継装置は、保持したデータをバックアップ装置へ送信し、バックアップ装置ではこのデータを、広域ネットワークを介して受信して保持する。【選択図】図１
2011180863.tif 000002
【特許請求の範囲】
【請求項１】
電子装置と、前記電子装置とローカルネットワークを介して接続される中継装置と、前記中継装置と広域ネットワークを介して接続されるバックアップ装置と、を含むバックアップシステムであって、
前記電子装置は、
自装置内の記憶装置に記憶されているデータを前記中継装置へ送信する送信手段を有し、
前記中継装置は、
前記送信手段から送信されるデータを、前記ローカルネットワークを介して受信して保持する第１データ保持手段と、
前記第１データ保持手段に保持されているデータを前記バックアップ装置へ送信する第１データ送信手段と、を有し、
前記バックアップ装置は、
前記第１データ送信手段から送信されるデータを、前記広域ネットワークを介して受信して保持するバックアップ用データ保持手段、
を有することを特徴とするバックアップシステム。
【請求項２】
前記中継装置は、
前記第１データ保持手段に保持されている前記データを、前記ローカルネットワークを介して前記電子装置に送信する第２データ送信手段を有し、
前記電子装置は、
前記第２データ送信手段から送信される前記データを受信して保持するデータ保持手段を有することを特徴とする請求項１に記載のバックアップシステム。
【請求項３】
前記中継装置は、
前記バックアップ用データ保持手段に保持されている前記データを要求するデータ要求手段と、
前記データ要求手段からの要求に応じて前記バックアップ装置から送信される前記データを受信して保持する第２データ保持手段と、を有し、
前記バックアップ装置は、
前記データ要求手段からの要求に応じて、前記バックアップ用データ保持手段に保持されている前記データを、前記広域ネットワークを介して前記中継装置に送信するバックアップ用データ送信手段を有し、さらに、
前記第２データ送信手段は、前記第１データ保持手段に代えて、前記第２データ保持手段に保持されている前記データを、前記ローカルネットワークを介して前記電子装置に送信することを特徴とする請求項２に記載のバックアップシステム。
【請求項４】
前記中継装置は、前記バックアップ装置に対してクライアント装置として機能することを特徴とする請求項１から３のいずれか一項に記載のバックアップシステム。
【請求項５】
電子装置と、前記電子装置とローカルネットワークを介して接続される中継装置と、前記中継装置と広域ネットワークを介して接続されるバックアップ装置と、によって実行されるバックアップ方法であって、
前記電子装置において、自装置内の記憶装置に記憶されているデータを前記中継装置へ送信する送信ステップと、
前記中継装置において、前記送信ステップにおいて送信されるデータを、前記ローカルネットワークを介して受信して保持する第１データ保持ステップと、
前記中継装置において、前記第１データ保持ステップにおいて保持されたデータを前記バックアップ装置へ送信する第１データ送信ステップと、
前記バックアップ装置において、前記第１データ送信ステップにおいて送信されるデータを、前記広域ネットワークを介して受信して保持するバックアップ用データ保持ステップと、
を有することを特徴とするバックアップ方法。
【請求項６】
ローカルネットワークを介して接続される電子装置とデータの送受信を行い、さらに広域ネットワークを介して接続されるバックアップ装置とデータの送受信を行う中継装置であって、
前記電子装置から送信されるデータを、前記ローカルネットワークを介して受信して保持するデータ保持手段と、
前記データ保持手段に保持されているデータを前記バックアップ装置へ送信する第１データ送信手段と、
を有することを特徴とする中継装置。
【請求項７】
ローカルネットワークを介して接続される電子装置とデータの送受信を行い、広域ネットワークを介して接続されるバックアップ装置とデータの送受信を行うコンピュータに、
前記電子装置から送信されるデータを、前記ローカルネットワークを介して受信して保持するデータ保持ステップと、
前記データ保持ステップにおいて保持されたデータを前記バックアップ装置へ送信するデータ送信ステップと、
を実行させるためのデータ中継プログラム。
【発明の詳細な説明】
【技術分野】
【０００１】
本発明は、電子データをバックアップ保存するバックアップシステムに関する。
【背景技術】
【０００２】
従来、コンピュータの障害発生や故障などに備えて、正常動作時に保存している電子ファイル等を別のバックアップ用コンピュータにバックアップしておくことは一般的に行われている。また、特許文献１に記載されているように、パソコンの電子ファイル等を、インターネットを介してバックアップ用サーバ装置に保存するための技術も知られている。
【先行技術文献】
【特許文献】
【０００３】
【特許文献１】特開２００２−２７８８１６号公報
【発明の概要】
【発明が解決しようとする課題】
【０００４】
しかしながら、パソコンの故障等により、バックアップしておいた電子ファイル等をバックアップ用サーバ装置からパソコンへリストアしたい場合、リストアする電子ファイル等のサイズが大きい場合には、インターネットを介してリストアするために、多大な時間を要するという問題があった。
【０００５】
そこで、本発明は上記課題を解決し、バックアップされていたデータを短時間でコンピュータ等の電子装置へリストアすることが可能なバックアップシステムを提供することを目的とする。
【課題を解決するための手段】
【０００６】
上記課題を解決するために、本発明は、電子装置と、前記電子装置とローカルネットワークを介して接続される中継装置と、前記中継装置と広域ネットワークを介して接続されるバックアップ装置と、を含むバックアップシステムであって、前記電子装置は、自装置内の記憶装置に記憶されているデータを前記中継装置へ送信する送信手段を有し、前記中継装置は、前記送信手段から送信されるデータを、前記ローカルネットワークを介して受信して保持する第１データ保持手段と、前記第１データ保持手段に保持されているデータを前記バックアップ装置へ送信する第１データ送信手段と、を有し、前記バックアップ装置は、前記第１データ送信手段から送信されるデータを、前記広域ネットワークを介して受信して保持するバックアップ用データ保持手段、を有することを特徴とするバックアップシステムを提案する。
【０００７】
この構成によれば、中継装置は電子装置のデータのバックアップを行うが、電子装置と中継装置とはローカルネットワークで接続されているため、短時間でバックアップおよびリストアを行うことができる。さらに、バックアップ装置は中継装置からのデータをバックアップすることができるが、中継装置とバックアップ装置とはインターネットで接続されるため、バックアップ装置が遠隔地にあっても両者間の接続が容易である。また、中継装置が故障等により保持していたデータが破損した場合等でも、バックアップ装置から同じデータをリストアし、さらに、このデータを電子装置にリストアすること等が可能である。
【０００８】
また、前記中継装置は、前記第１データ保持手段に保持されている前記データを、前記ローカルネットワークを介して前記電子装置に送信する第２データ送信手段を有し、前記電子装置は、前記第２データ送信手段から送信される前記データを受信して保持するデータ保持手段を有していてもよい。
【０００９】
この構成によれば、電子装置と中継装置とはローカルネットワークで接続されているため、短時間でデータのリストアを行うことができる。
【００１０】
また、前記中継装置は、前記バックアップ用データ保持手段に保持されている前記データを要求するデータ要求手段と、前記データ要求手段からの要求に応じて前記バックアップ装置から送信される前記データを受信して保持する第２データ保持手段と、を有し、前記バックアップ装置は、前記データ要求手段からの要求に応じて、前記バックアップ用データ保持手段に保持されている前記データを、前記広域ネットワークを介して前記中継装置に送信するバックアップ用データ送信手段を有し、さらに、前記第２データ送信手段は、前記第１データ保持手段に代えて、前記第２データ保持手段に保持されている前記データを、前記ローカルネットワークを介して前記電子装置に送信するようになっていてもよい。
【００１１】
この構成によれば、故障等により中継装置に保持されていたデータが破損した場合等でも、バックアップ装置からデータをリストアし、さらに、このデータを電子装置にリストアすることができる。
【００１２】
また、前記中継装置は、前記バックアップ装置に対してクライアント装置として機能するようになっていてもよい。
【００１３】
この構成によれば、中継装置は、バックアップ装置に対してはクライアント装置として動作するための機能のみを有していればよいので、簡単な構成で、かつ低コストで中継装置を構成することができる。
【００１４】
また、本発明は、電子装置と、前記電子装置とローカルネットワークを介して接続される中継装置と、前記中継装置と広域ネットワークを介して接続されるバックアップ装置と、によって実行されるバックアップ方法であって、前記電子装置において、自装置内の記憶装置に記憶されているデータを前記中継装置へ送信する送信ステップ（例えば、図３のステップＳ１０３）と、前記中継装置において、前記送信ステップにおいて送信されるデータを、前記ローカルネットワークを介して受信して保持する第１データ保持ステップ（例えば、図３のステップＳ１０５）と、前記中継装置において、前記第１データ保持ステップにおいて保持されたデータを前記バックアップ装置へ送信する第１データ送信ステップ（例えば、図３のステップＳ１０７）と、前記バックアップ装置において、前記第１データ送信ステップにおいて送信されるデータを、前記広域ネットワークを介して受信して保持するバックアップ用データ保持ステップ（例えば、図３のステップＳ１０９）と、を有することを特徴とするバックアップ方法を提案する。
【００１５】
この構成によれば、中継装置は電子装置のデータのバックアップを行うが、電子装置と中継装置とはローカルネットワークで接続されているため、短時間でバックアップおよびリストアを行うことができる。さらに、バックアップ装置は中継装置からのデータをバックアップすることができるが、中継装置とバックアップ装置とはインターネットで接続されるため、バックアップ装置が遠隔地にあっても両者間の接続が容易である。また、中継装置が故障等により保持していたデータが破損した場合等でも、バックアップ装置から同じデータをリストアし、さらに、このデータを電子装置にリストアすること等が可能である。
【００１６】
また、本発明は、ローカルネットワークを介して接続される電子装置とデータの送受信を行い、さらに広域ネットワークを介して接続されるバックアップ装置とデータの送受信を行う中継装置であって、前記電子装置から送信されるデータを、前記ローカルネットワークを介して受信して保持するデータ保持手段と、前記データ保持手段に保持されているデータを前記バックアップ装置へ送信する第１データ送信手段と、を有することを特徴とする中継装置を提案する。
【００１７】
この構成によれば、中継装置は電子装置のデータのバックアップを行うが、電子装置と中継装置とはローカルネットワークで接続されているため、短時間でバックアップおよびリストアを行うことができる。さらに、バックアップ装置は中継装置からのデータをバックアップすることができるが、中継装置とバックアップ装置とはインターネットで接続されるため、バックアップ装置が遠隔地にあっても両者間の接続が容易である。また、中継装置が故障等により保持していたデータが破損した場合等でも、バックアップ装置から同じデータをリストアし、さらに、このデータを電子装置にリストアすること等が可能である。
【００１８】
また、本発明は、ローカルネットワークを介して接続される電子装置とデータの送受信を行い、広域ネットワークを介して接続されるバックアップ装置とデータの送受信を行うコンピュータに、前記電子装置から送信されるデータを、前記ローカルネットワークを介して受信して保持するデータ保持ステップ（例えば、図３のステップＳ１０５）と、前記データ保持ステップにおいて保持されたデータを前記バックアップ装置へ送信するデータ送信ステップと（例えば、図３のステップＳ１０７）、を実行させるためのデータ中継プログラムを提案する。
【００１９】
この構成によれば、コンピュータは電子装置のデータのバックアップを行うが、電子装置とコンピュータとはローカルネットワークで接続されているため、短時間でバックアップおよびリストアを行うことができる。さらに、バックアップ装置はコンピュータからのデータをバックアップすることができるが、コンピュータとバックアップ装置とはインターネットで接続されるため、バックアップ装置が遠隔地にあっても両者間の接続が容易である。また、コンピュータが故障等により保持していたデータが破損した場合等でも、バックアップ装置から同じデータをリストアし、さらに、このデータを電子装置にリストアすること等が可能である。
【００２０】
なお、上記のデータ中継プログラムは、ネットワークを通じてダウンロードされることによりコンピュータにインストールされて実行されてもよいし、記憶媒体に記憶されて配布されることによりコンピュータにインストールされて実行されてもよい。
【発明の効果】
【００２１】
以上のように、本発明によれば、短時間で、データのバックアップおよびリストアを行うことが可能である。
【図面の簡単な説明】
【００２２】
【図１】バックアップシステムの構成例を示す図である。
【図２】電子装置１００、中継装置２００、バックアップ装置３００の構成例を示すブロック図である。
【図３】バックアップ時の処理の流れを示すシーケンス図である。
【図４】リストア時の処理の流れを示すシーケンス図である。
【発明を実施するための形態】
【００２３】
以下、本発明の実施形態について、図面を参照しながら説明する。なお、以下の説明において参照する各図では、他の図と同等部分は同一符号によって示される。
【００２４】
（バックアップシステムの構成）
図１は、本実施形態に係るバックアップシステムの構成例を示す図である。図１に示すバックアップシステムは、電子装置１００と、中継装置２００と、バックアップ装置３００とを含んで構成される。また、電子装置１００と中継装置２００とは、ＬＡＮ（Local  Area  Network）などのローカルネットワーク１０で接続されており、中継装置２００とバックアップ装置３００とはインターネットなどの広域ネットワーク２０で接続されている。また、電子装置１００は、複数のコンピュータ等の電子装置３１、３２、３３と接続されている。
【００２５】
電子装置１００は、別の電子装置３１、３２、３３からの電子ファイル等のデータを受信して、自装置内のハードディスク等に記憶するコンピュータ等であり、電子装置１００は、これらのデータをバックアップのために中継装置２００に送信する。中継装置２００は、電子装置１００から受信したデータを自装置内のハードディスク等に記憶してバックアップしておくとともに、さらに広域ネットワークを介して自装置と接続されているバックアップ装置３００にこのデータを送信して、バックアップ装置３００にデータを保持させる。
【００２６】
電子装置１００および中継装置２００は、パーソナルコンピュータ、ＰＤＡ（Personal  Digital  Assistant）、携帯電話等により構成可能である。また、バックアップ装置は、例えば、データセンター等の大型コンピュータ等により構成される。
【００２７】
図２は、電子装置１００、中継装置２００、バックアップ装置３００の構成例を示すブロック図である。以下、図２を用いて、各装置の構成について説明する。
【００２８】
なお、電子装置１００、中継装置２００、バックアップ装置３００は、具体的には、例えば、図示しないＣＰＵ（Central  Processing  Unit）、ハードディスクやＲＯＭ（Read  Only  Memory）等の記憶装置、ネットワークインタフェース、等の一般的なコンピュータの構成と同様の構成により実現される。また、以下に説明する各構成の機能は、例えばＣＰＵがハードディスク等の記憶装置に記憶されているプログラムをＲＡＭ（Random  Access  Memory）等のメモリ上に読み出して実行することによって実現される機能である。また、後述するデータ記憶部１０１、保持部１０４、第１データ保持部２０１、第２データ保持部２０５、バックアップ用データ保持部３０１は、各装置内のハードディスク等の記憶装置に設けられたデータ記憶領域である。
【００２９】
（電子装置１００の構成）
図２に示すように、電子装置１００は、データ記憶部１０１と、送信部１０２と、要求部１０３と、保持部１０４と、を有する。
【００３０】
データ記憶部１０１は、電子装置３１、３２、３３から送信される電子ファイル等のデータを、自装置内のハードディスク等の記憶装置に記憶する。
【００３１】
送信部１０２は、データを中継装置にバックアップするために、データ記憶部１０１に記憶されているデータを中継装置２００へ送信する。
【００３２】
要求部１０３は、中継装置２００にバックアップされているデータをリストアするために、中継装置２００の第１データ保持部２０１に保持されているデータを要求する。つまり、電子装置１００は、故障等によってデータ記憶部１０１のデータが破損した場合等に、ユーザの指示を受け付ける等により、要求部１０３において中継装置２００に対してデータを要求する。後述するように、中継装置２００は、このデータの要求を受け付けると、自装置内に保持しているデータを電子装置１００に送信する。これにより、電子装置１００は、バックアップしていたデータのリストアを行うことができる。なお、「データを要求する」とは、具体的には、例えばデータを要求するコマンド等を中継装置２００に対して送信すること等が該当する。
【００３３】
また、データの要求は、例えば電子装置１００の記憶装置の故障等によってユーザが任意のタイミングでデータ要求（リストア要求）のための操作を行うことで実行されるようになっていてもよいし、予め定められたスケジュールにより自動的に実行されるようになっていてもよい。また、例えば定期的にデータ記憶部１０１に記憶されているデータの状態をチェックして、データが破損している場合等に中継装置２００へのデータ要求が実行されることで、データのリストアが自動的に実行されるようになっていてもよい。
【００３４】
保持部１０４は、要求部１０３からの要求に応じて中継装置２００から送信されるデータを受信して保持する。これにより、データのリストアが完了する。電子装置１００と中継装置２００とはローカルネットワークにて接続されているので、中継装置２００に記憶されていた複数のデータを一括してリストアしたい場合等（すなわち、リストアするデータのサイズが大きい場合）に短時間でデータのリストアを行うことができる。
【００３５】
（中継装置２００の構成）
図２に示すように、中継装置２００は、第１データ保持部２０１と、第１データ送信部２０２と、第２データ送信部２０３と、データ要求部２０４と、第２データ保持部２０５と、を有する。
【００３６】
第１データ保持部２０１は、電子装置１００の送信部１０２から送信されるデータを、ローカルネットワーク１０を介して受信して保持する。これにより、電子装置１００のデータ記憶部１０１に記憶されているデータと同一のデータがバックアップされる。
【００３７】
第１データ送信部２０２は、第１データ保持部２０１に保持されているデータをバックアップ装置３００へ送信する。これにより、電子装置１００のデータ記憶部１０１で保持されているデータと同一のデータが、バックアップ装置３００でもバックアップされる。
【００３８】
なお、この中継装置２００からバックアップ装置３００へのバックアップは、例えば１日に１回程度の頻度で実行される。中継装置２００とバックアップ装置３００とはインターネットを介して接続されているため、一般的にデータの送受信には時間を要する。よって、この中継装置２００からバックアップ装置３００へのバックアップは、第１データ保持部２０１の故障等によりデータが破損した場合に備えて行われる予備的なものであり、電子装置１００のデータのリストアは、原則、中継装置２００の第１データ保持部２０１に保持されている同一データによって実行される。
【００３９】
第２データ送信部２０３は、電子装置１００の要求部１０３からのデータの要求に応じて、第１データ保持部２０１に保持されているデータを、ローカルネットワーク１０を介して電子装置１００に送信する。これにより、電子装置１００ではデータのリストアが行われる。
【００４０】
データ要求部２０４は、バックアップ装置３００のバックアップ用データ保持部３０１に保持されているデータを要求する。電子装置１００のデータ記憶部１０１に記憶されているデータと同一のデータは、中継装置２００の第１データ保持部２０１に保持されており、原則、この中継装置２００で保持されているデータを用いて電子装置１００でデータのリストアが実行される。しかし、第１データ保持部２０１に保持されているデータが故障等により破損する場合もあるため、そのような場合には、このデータ要求部２０４からバックアップ装置３００に対して同一データの要求を行うことで、データを中継装置２００にリストアし、さらに電子装置１００にリストアすることができる。
【００４１】
また、データの要求は、例えば中継装置２００のユーザの任意のタイミングで実行されてもよいし、予め定められたスケジュールにより自動的に実行されるようになっていてもよい。
【００４２】
また、データの要求は、第１データ保持部２０１の状態に応じて実行されるようになっていてもよい。例えば、第１データ保持部２０１の状態を監視しておき、故障等によりデータが破損していることが発見された場合に、自動的にデータの要求が実行されるようになっていてもよい。中継装置２００とバックアップ装置３００とは広域ネットワーク２０を介して接続されているので、データの送受信には時間を要することが想定される。よって、定期的に、もしくは中継装置２００で他の処理が行われていないアイドル時等に、第１データ保持部２０１の状態をチェックし必要に応じてバックアップ装置３００からデータを取得しておけば、電子装置１００からデータの要求があった場合に、すぐに電子装置１００へデータを送信することができる。
【００４３】
なお、「データを要求する」とは、具体的には、例えばデータを要求するコマンド等を中継装置２００に対して送信すること等が該当する。
【００４４】
第２データ保持部２０５は、データ要求部２０４からの要求に応じてバックアップ装置３００から送信されるデータを受信して保持する。これにより、バックアップ装置３００に保持されていたデータが中継装置２００にリストアされる。また、第２データ保持部２０５においてバックアップ装置３００からのデータが受信されて保持された場合、第２データ送信部２０３は、第１データ保持部２０１に代えて、第２データ保持部２０５に保持されたデータを電子装置１００に送信するようになっていてもよい。
【００４５】
なお、中継装置２００は、バックアップ装置３００に対してクライアント装置として機能する。これにより、中継装置２００は、バックアップ装置に対してはクライアント装置として動作するための機能のみを有していればよいので、簡単な構成で、かつ低コストで中継装置を構成することができる。
【００４６】
（バックアップ装置３００の構成）
図２に示すように、バックアップ装置３００は、バックアップ用データ保持部３０１と、バックアップ用データ送信部３０２と、を有する。
【００４７】
バックアップ用データ保持部３０１は、中継装置２００の第１データ送信部２０２から送信されるデータを、広域ネットワーク２０を介して受信して保持する。これにより、電子装置１００が記憶しているデータと同一データが中継装置２００を介してバックアップ装置３００においてもバックアップされる。
【００４８】
ただし、電子装置１００は、データのリストアを行う場合、原則、中継装置２００からデータのリストアを行う。電子装置１００と中継装置２００とはローカルネットワークで接続されているため、データの送受信が素早く行うことができるからである。バックアップ装置３００においてもデータを保持するのは、中継装置２００の第１データ保持部２０１の故障等によりデータが損失した場合等に、中継装置２００にデータのリストアを行うためである。
【００４９】
バックアップ用データ送信部３０２は、データ要求部２０４からの要求に応じて、バックアップ用データ保持部３０１に保持されているデータを、広域ネットワーク２０を介して中継装置２００に送信する。これにより、中継装置２００では、データのリストアが行われる。
【００５０】
（バックアップシステムの動作）
次に、図３および図４を用いて、本実施形態に係るバックアップシステムの動作について説明する。図３は、電子装置１００に記憶されているデータを中継装置２００にバックアップするための処理の流れを示すシーケンス図であり、図４は、中継装置２００にバックアップされていたデータを電子装置１００にリストアするための処理の流れを示すシーケンス図である。
【００５１】
（バックアップ時の動作）
まず、図３を用いて、電子装置１００のデータをバックアップする際の処理について説明する。
【００５２】
電子装置１００においては、通常動作時にデータ記憶部１０１に電子ファイル等のデータが記憶されている（ステップＳ１０１）。そして、電子装置１００においてユーザからバックアップの指示を受け付ける等により、電子装置１００の送信部１０２から中継装置２００に、ＬＡＮ等のローカルネットワーク１０を介してデータが送信される（ステップＳ１０３）。中継装置２００で受信されたデータは第１データ保持部２０１にて保持される（ステップＳ１０５）。これにより、電子装置１００のデータ記憶部１０１に記憶されているデータのバックアップが行われる。通常時は、上記ステップＳ１０１〜Ｓ１０３の処理が随時実行される。
【００５３】
また、ステップＳ１０１〜Ｓ１０３の処理によってバックアップされたデータは、例えば１日に１回の頻度でバックアップ装置３００にてさらにバックアップされる。すなわち、中継装置２００の第１データ送信部２０２からバックアップ装置３００に、インターネット等の広域ネットワーク２０を介してデータが送信され（ステップＳ１０７）、バックアップ装置３００で受信されたデータは、バックアップ用データ保持部３０１にて保持される（ステップＳ１０９）。これにより、バックアップ装置３００においても電子装置１００が保持しているデータと同じデータが保持されるため、第１データ保持部２０１に保持されたデータが破損した場合でも、中継装置２００はバックアップ装置３００から同じデータを受信し、さらにこのデータを電子装置１００にリストアすることができる。
【００５４】
また、中継装置２００は、第１データ保持部２０１とは別に、自装置にローカルに接続されるミラー記憶装置２１０を持ち、電子装置１００からのデータのミラーリングを行うようになっていてもよい。具体的には、ステップＳ１０３で中継装置２００にて受信されたデータは、第１データ保持部２０１で保持されるとともに（ステップＳ１０５）、ミラー記憶装置２１０にも送信されて保持されるようになっていてもよい（ステップＳ１１１）。このように構成されていれば、第１データ保持部２０１の故障等によりデータが破損した場合でも、中継装置２００は、ローカルに接続されているミラー記憶装置２１０から同じデータを読み出すことで、短時間で電子装置１００にデータをリストアすることが可能となる。
【００５５】
（リストア時の動作）
次に、図４を用いて、中継装置２００から電子装置１００にデータをリストアする際の処理について説明する。
【００５６】
電子装置１００においてユーザからリストアの指示等を受け付ける等により、電子装置１００の要求部１０３から中継装置２００の第２データ送信部２０３にデータが要求される（ステップＳ２０１）具体的には、電子装置１００から中継装置２００に要求コマンド等が送信される。
【００５７】
中継装置２００では、このデータ要求が受け付けられると、第１データ保持部２０１にバックアップされていたデータが第２データ送信部２０３から電子装置１００に、ローカルネットワーク１０を介して送信される（ステップＳ２０３）。電子装置１００で受信されたデータは保持部１０４にて保持される（ステップＳ２０５）。
【００５８】
また、何らかの理由により第１データ保持部２０１からデータが読み出せない場合には、ミラー記憶装置２１０から同じデータが読み出されて送信される（ステップＳ２１１）。
【００５９】
また、もし第１データ保持部２０１の故障等によりデータが読み出せない場合、中継装置２００のデータ要求部２０４からバックアップ装置３００に、このデータの要求がなされる（ステップＳ３０１）。バックアップ装置３００においてこのデータ要求が受け付けられると、バックアップ用データ保持部３０１に保持されていたデータがバックアップ用データ送信部３０２から電子装置１００に、広域ネットワーク２０を介して送信される（ステップＳ３０３）。
【００６０】
また、中継装置２００で受信されたデータは第２データ保持部２０５で一旦保持された後（ステップＳ３０５）、第２データ送信部２０３から電子装置１００に送信される。これにより、電子装置１００では要求したデータと同じデータをリストアすることができる。
【００６１】
（他の実施形態）
上記の実施形態においては、第１データ保持部２０１と第２データ保持部２０５は別々となっているが、両者は一体となっていてもよい。
【００６２】
また、上記の実施形態においては、データ記憶部１０１と保持部１０４は別々となっているが、両者は一体となっていてもよい。
【００６３】
（まとめ）
以上のように、本発明によれば、短時間で、データのバックアップおよびリストアを行うことが可能である。
【符号の説明】
【００６４】
１０  ローカルネットワーク
２０  広域ネットワーク
３１、３２、３３  電子装置
１００  電子装置
１０１  データ記憶部
１０２  送信部
１０３  要求部
１０４  保持部
２００  中継装置
２０１  第１データ保持部
２０２  第１データ送信部
２０３  第２データ送信部
２０４  データ要求部
２０５  第２データ保持部
２１０  ミラー記憶装置
３００  バックアップ装置
３０１  バックアップ用データ保持部
３０２  バックアップ用データ送信部
【図１】
2011180863.tif 000003
【図２】
2011180863.tif 000004
【図３】
2011180863.tif 000005
【図４】
2011180863.tif 000006